(57)【要約】      （修正有）【課題】人体の腰部の左右部分に的確に指圧効果をもたらす左右一対の柱状体を具えて、同柱状体の頂部の凸弯曲面の形状を適切に設定することにより十分な指圧効果が得られるようにした腰痛対策器を提供する。【解決手段】木製またはプラスチック製の基板１上において、人体の腰部における背骨の左側方部分および右側方部分にそれぞれ当接しうる左右一対の柱状体２ａ，２ｂが、相互に間隔をあけるように立設されており、各柱状体２ａ，２ｂの頂部３ａ，３ｂは、人体の腰部外面に緩衝的に当接できるように凸弯曲面を有している。そして、各柱状体２ａ，２ｂの頂部に着脱可能に装着されるキャップ３ａ，３ｂの各頂面は、各柱状体２ａ，２ｂの頂部とは異なる凸弯曲面を有する。【選択図】図１
0003113103.tif 000002
【実用新案登録請求の範囲】
【請求項１】
人体の腰部における背骨の左側方部分および右側方部分にそれぞれ当接しうる左右一対の柱状体が、基板上において相互に間隔をあけるように立設されて、同柱状体の頂部に着脱可能に装着されたキャップが設けられており、上記左右一対の柱状体の各頂部と上記キャップの各頂面とは人体の腰部外面に異なる態様で緩衝的に当接すべく互いに異なる凸弯曲面を有していることを特徴とする、腰痛対策器。
【請求項２】
上記左右一対の柱状体の相互間隔を調整可能になすべく、一方の柱状体が上記基板に形成された案内溝に沿い左右方向に摺動可能に設けられていることを特徴とする、請求項１に記載の腰痛対策器。
【考案の詳細な説明】
【技術分野】
【０００１】
本考案は、人体の腰部に柱状体をあてがうことにより腰痛の緩和を図れるようにした腰痛対策器に関する。
【背景技術】
【０００２】
従来の指圧型健康器具としては、ブロック状本体に種々の高さおよび頂面を有する突起部を交換可能に備えて、同突起部を人体にあてがうようにしたものが開発されている。しかしながら、上述のような従来の指圧型健康器具では、人体に対する押圧状態を最適状態に調整するためには上記突起部自体を交換しなければならず、面倒な操作を必要として、腰痛に悩む人々にとっては簡易な操作性が得られないという不具合がある。
【特許文献１】特許第２５６１０５６号公報
【考案の開示】
【考案が解決しようとする課題】
【０００３】
本考案は、人体の腰部の左右部分に的確に指圧効果をもたらす左右一対の柱状体を具えて、同柱状体の頂部自体でも指圧効果が得られるようにしながら、同柱状体の頂部に交換可能のキャップを備えることにより、簡易な操作で常に適切な指圧効果が得られるようにした腰痛対策器を提供することを課題とする。
【課題を解決するための手段】
【０００４】
前述の課題を解決するため、本考案の腰痛対策器は、人体の腰部における背骨の左側方部分および右側方部分にそれぞれ当接しうる左右一対の柱状体が、基板上において相互に間隔をあけるように立設されて、同柱状体の頂部に着脱可能に装着されたキャップが設けられており、上記左右一対の柱状体の各頂部と上記キャップの各頂面とは人体の腰部外面に異なる態様で緩衝的に当接すべく互いに異なる凸弯曲面を有していることを特徴としている。
【０００５】
また、本考案の腰痛対策器は、上記左右一対の柱状体の相互間隔を調整可能になすべく、一方の柱状体が上記基板に形成された案内溝に沿い左右方向に摺動可能に設けられていることを特徴としている。
【考案の効果】
【０００６】
上述の本考案の腰痛対策器では、人体の腰部における背骨の左側方部分および右側方部分に当接しうる左右一対の柱状体が、同柱状体の各頂部に凸弯曲面を有するとともに、同頂部に着脱可能に装着されるキャップが上記凸弯曲面と異なる凸弯曲面を有しているので、人体の腰部の状態や個人差に応じて上記凸弯曲面の状態を簡易な準備操作で適切に設定できるようになり、これにより仰向けに寝た人体の腰部に対し、下側から十分な指圧効果を的確に及ぼすことができる。
【０００７】
また、上記左右一対の柱状体のうちの一方の柱状体を上記基板に形成された案内溝に沿い左右方向に摺動可能に設けると、上記左右一対の柱状体の相互間隔が、個人差に応じて適切に設定されるようになり、このようにして十分な腰痛緩和効果が得られるようになる。
【実施例１】
【０００８】
図１は本考案の実施例１としての腰痛対策器を示す斜視図である。
図１に示すように、木製またはプラスチック製の基板１上において、人体の腰部Ｗにおける背骨の左側方部分および右側方部分にそれぞれ当接しうる左右一対の柱状体２ａ，２ｂが、相互に間隔をあけるように立設されており、各柱状体２ａ，２ｂの頂部３ａ，３ｂは、人体の腰部外面に緩衝的に当接できるように凸弯曲面を有している。
【０００９】
また、各柱状体２ａ，２ｂの頂部３ａ，３ｂにはキャップ６ａ，６ｂが着脱可能に装着されていて、各キャップ６ａ，６ｂの頂面は人体の腰部外面に異なる態様で緩衝的に当接できるように、柱状体２ａ，２ｂの頂部とは異なる凸弯曲面を有している。
【００１０】
そして、基板１上における左右一対の柱状体２ａ，２ｂの各高さＨは、いずれも３〜５ｃｍの範囲で同じ高さに設定され、各キャップ３ａ，３ｂによる高さの増加分は１〜２ｃｍとされる。
なお、柱状体２ａ，２ｂの材質も、木製またはプラスチック製とされる。
【００１１】
上述のように構成された腰痛対策器Ａは、図３に示すように、仰向けに寝た人体の腰部Ｗと人体支持面Ｂとの間にセットされる。そして、図４に示すように、膝を立てて腰部Ｗを浮かせることにより、腰痛対策器Ａとの相対位置関係を調整することができる。
【００１２】
上述の実施例１の腰痛対策器では、人体の腰部Ｗにおける背骨の左側方部分および右側方部分に当接しうる左右一対の柱状体２ａ，２ｂが頂部に凸弯曲面を備えているので、同頂部を直接人体の腰部にあてがって指圧効果が得られるほか、同頂部にキャップ６ａ，６ｂを被せることにより、異なる凸弯曲面を腰部にあてがって治療効果を高めることができる。
【実施例２】
【００１３】
図２は本考案の実施例２としての腰痛対策器を示す斜視図である。
図２に示すように、実施例２の場合も、木製またはプラスチック製の基板１上において、人体の腰部Ｗにおける背骨の左側方部分および右側方部分にそれぞれ当接しうる左右一対の柱状体２ａ，２ｂが、相互に間隔Ｄをあけるように立設されており、各柱状体２ａ，２ｂの頂部３ａ，３ｂは、人体の腰部外面に緩衝的に当接できるように凸弯曲面を有している。
【００１４】
そして、基板１上における左右一対の柱状体２ａ，２ｂの各高さＨは、いずれも３〜５ｃｍの範囲で同じ高さに設定されている。
なお、柱状体２ａ，２ｂの材質も、木製またはプラスチック製とされる。
【００１５】
本実施例２では、一方の柱状体２ａは基板１上に固定されているが、他方の柱状体２ｂは、両柱状体２ａ，２ｂの相互間隔Ｄを調整できるように、同柱状体２ｂの下端に固着された可動部材２ｃを介して、基板１に形成された案内溝４に沿い左右方向に摺動可能に装着されている。
そして、可動の柱状体２ｂの脱落を防止するため、要すれば案内溝４の端部を塞ぐストッパー５が設けられる。
【００１６】
また、各柱状体２ａ，２ｂの頂部には、同頂部の外径と異なる凸弯曲面を有するキャップ６ａ，６ｂが着脱可能に設けられている。なお、このキャップ６ａ，６ｂは、クッション材で構成するようにしてもよい。
【００１７】
上述のように構成された腰痛対策器Ａも、図３に示すように、仰向けに寝た人体の腰部Ｗと人体支持面Ｂとの間にセットされる。そして、図４に示すように、膝を立てて腰部Ｗを浮かせることにより、腰痛対策器Ａとの相対位置関係を調整することができる。
【００１８】
このようにして、人体の腰部Ｗにおける背骨の左側方部分および右側方部分に当接しうる左右一対の柱状体２ａ，２ｂの各頂面の凸弯曲面が、各キャップ６ａ，６ｂにより選択的に設定されるほか、さらに両方柱状体２ａ，２ｂの相互間隔Ｄが調整できるので、人体の腰部におけるサイズの個人差に対応して間隔Ｄを適切に設定することが可能になる。
【図面の簡単な説明】
【００１９】
【図１】本考案の実施例１としての腰痛対策器を示す斜視図である。
【図２】本考案の実施例２としての腰痛対策器を示す斜視図である。
【図３】本考案の腰痛対策器の使用状態を示す説明図である。
【図４】本考案の腰痛対策器の他の使用状態を示す説明図である。
【符号の説明】
【００２０】
１  基板
２ａ，２ｂ  柱状体
２ｃ  可動部材
３ａ，３ｂ  頂部
４  案内溝
５  ストッパー
６ａ，６ｂ  キャップ
Ａ  腰痛対策器
Ｂ  人体支持面
Ｄ  間隔
Ｈ  高さ
Ｗ  腰部
【図１】
0003113103.tif 000003
【図２】
0003113103.tif 000004
【図３】
0003113103.tif 000005
【図４】
0003113103.tif 000006